【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
待ち行列が形成される所定領域の入口に対応する第１位置を通過する物体を検知する第１検知手段と、
前記所定領域の出口に対応する第２位置を通過する物体を検知する第２検知手段と、
前記第１検知手段および前記第２検知手段による検知結果に基づき、前記待ち行列に並んでいる物体の順番と、当該物体が当該待ち行列に加わった時刻とを関連付けた待ち行列データを生成する生成手段と、
前記生成手段により生成された前記待ち行列データに基づき、前記待ち行列における待ち時間を算出する算出手段とを有し、
前記生成手段は、撮影画像から検知された前記所定領域における物体の計数結果と、前記待ち行列データにより示される前記待ち行列に並んでいる物体の数とを比較した結果に応じて、前記待ち行列データを補正することを特徴とする情報処理装置。
【請求項２】
前記生成手段は、前記所定領域における物体の前記計数結果と、前記待ち行列データにより示される前記待ち行列に並んでいる物体の数とが異なる場合、前記所定領域における物体の前記計数結果と、前記待ち行列により示される前記待ち行列に並んでいる物体の数が同一となるよう前記待ち行列データを補正することを特徴とする請求項１に記載の情報処理装置。
【請求項３】
前記生成手段は、
前記所定領域における物体の前記計数結果と、前記待ち行列データにより示される前記待ち行列に並んでいる物体の数とが異なり、且つ、前記第１検知手段および前記第２検知手段のうち前記第１検知手段による検知が直近で行われた場合、前記待ち行列データに含まれる前記待ち行列の末尾の物体に関するデータについて補正し、
前記所定領域における物体の前記計数結果と、前記待ち行列データにより示される前記待ち行列に並んでいる物体の数とが異なり、且つ、前記第１検知手段および前記第２検知手段のうち前記第２検知手段による検知が直近で行われた場合、前記待ち行列データに含まれる前記待ち行列の先頭の物体に関するデータについて補正する、ことを特徴とする請求項１または請求項２に記載の情報処理装置。
【請求項４】
前記生成手段は、
前記第１位置を第１物体が通過したことを前記第１検知手段により検知された場合、前記待ち行列における末尾に位置する物体のデータとして、前記第１物体が前記待ち行列に加わった時刻の情報を前記待ち行列データに追加し、
前記第２位置を第２物体が通過したことを前記第２検知手段により検知された場合、前記待ち行列の先頭に位置する物体のデータとして前記待ち行列データにより保持されていた、前記第２物体が前記待ち行列に加わった時刻の情報を前記待ち行列データから削除する、ことを特徴とする請求項１乃至３のいずれか一項に記載の情報処理装置。
【請求項５】
前記待ち行列データにおいて、前記待ち行列に並ぶ一又は複数の物体各々について、当該物体が前記待ち行列に並ぶ順番と、当該物体が前記待ち行列に加わった時刻とを関連付けた情報が保持されることを特徴とする請求項１乃至４のいずれか一項に記載の情報処理装置。
【請求項６】
前記生成手段は、
前記待ち行列データにより示される前記待ち行列に並んでいる物体の数が、前記撮影画像から検知された前記所定領域における物体の前記計数結果より多い場合は、前記待ち行列データから、前記待ち行列の末尾または先頭に位置する物体のデータを削除し、
前記待ち行列データにより示される前記待ち行列に並んでいる物体の数が、前記撮影画像から検知された前記所定領域における物体の前記計数結果より少ない場合は、前記待ち行列データに、前記待ち行列の末尾または先頭に位置する物体のデータを追加することを特徴とする請求項４または請求項５に記載の情報処理装置。
【請求項７】
前記生成手段は、
前記待ち行列データにより示される前記待ち行列に並んでいる物体の数が、前記撮影画像から検知された前記所定領域における物体の前記計数結果より少ない場合であって、前記第１検知手段および前記第２検知手段のうち前記第１検知手段による検知が直近で行われた場合、前記待ち行列データに前記待ち行列の末尾に位置する物体のデータを追加し、
前記待ち行列データにより示される前記待ち行列に並んでいる物体の数が、前記撮影画像から検知された前記所定領域における物体の前記計数結果より少ない場合であって、前記第１検知手段および前記第２検知手段のうち前記第２検知手段による検知が直近で行われた場合、前記待ち行列データに前記待ち行列の先頭に位置する物体のデータを追加することを特徴とする請求項４乃至６のいずれか一項に記載の情報処理装置。
【請求項８】
前記算出手段は、前記待ち行列データにより前記待ち行列の先頭に位置する物体に関連付けられた情報である、当該物体が前記待ち行列に加わった時刻の情報と、当該物体が前記第２位置を通過したことを前記第２検知手段により検知された時刻の情報とに基づき、前記待ち行列における当該物体の待ち時間を算出することを特徴とする請求項１乃至７のいずれか一項に記載の情報処理装置。
【請求項９】
前記待ち時間を表示手段に表示させる表示制御手段をさらに備える、ことを特徴とする請求項１乃至８のいずれか一項に記載の情報処理装置。
【請求項１０】
前記撮影画像に含まれる物体を検知する画像処理の結果に基づき、前記撮影画像の前記所定領域に含まれる物体の数を前記計数結果として取得する計数手段を更に有することを特徴とする請求項１乃至９のいずれか一項に記載の情報処理装置。
【請求項１１】
待ち行列が形成される所定領域の入口に対応する第１位置を通過する物体を検知する第１検知工程と、
前記所定領域の出口に対応する第２位置を通過する物体を検知する第２検知工程と、
前記第１検知工程および前記第２検知工程における検知結果に基づき、前記待ち行列に並んでいる物体の順番と、当該物体が当該待ち行列に加わった時刻とを関連付けた待ち行列データを生成する生成工程と、
前記生成工程において生成された前記待ち行列データに基づき、前記待ち行列における待ち時間を算出する算出工程とを有し、
前記生成工程において、撮影画像から検知された前記所定領域における物体の計数結果と、前記待ち行列データにより示される前記待ち行列に並んでいる物体の数とを比較した結果に応じて、前記待ち行列データを補正することを特徴とする情報処理方法。
【請求項１２】
コンピュータを、請求項１乃至１０のいずれか一項に記載の情報処理装置の各手段として機能させるためのプログラム。
【手続補正２】
【補正対象書類名】明細書
【補正対象項目名】発明の名称
【補正方法】変更
【補正の内容】
【発明の名称】情報処理装置、情報処理方法、およびプログラム
【手続補正３】
【補正対象書類名】明細書
【補正対象項目名】０００８
【補正方法】変更
【補正の内容】
【０００８】
この課題を解決するため、例えば、本発明の情報処理装置は以下の構成を備える。すなわち、待ち行列が形成される所定領域の入口に対応する第１位置を通過する物体を検知する第１検知手段と、前記所定領域の出口に対応する第２位置を通過する物体を検知する第２検知手段と、前記第１検知手段および前記第２検知手段による検知結果に基づき、前記待ち行列に並んでいる物体の順番と、当該物体が当該待ち行列に加わった時刻とを関連付けた待ち行列データを生成する生成手段と、前記生成手段により生成された前記待ち行列データに基づき、前記待ち行列における待ち時間を算出する算出手段とを有し、前記生成手段は、撮影画像から検知された前記所定領域における物体の計数結果と、前記待ち行列データにより示される前記待ち行列に並んでいる物体の数とを比較した結果に応じて、前記待ち行列データを補正する。